(57)【要約】【課題】耐久性が良好で、被洗浄面に傷を付けにくいという合成樹脂発泡体の有する特徴を活用できると共に、フィルム状樹脂組成物が有する特徴である高い洗浄性を活用できる洗浄ブラシを提供する。【解決手段】被洗浄面に付着した汚れ等を洗浄する為の洗浄ブラシにおいて、前記洗浄ブラシは台座、チャンネルブラシ、及び止め金具より形成されてあり、前記チャンネルブラシはブラシ片、芯線、及び帯状体より形成されてあり、前記ブラシ片は、長尺形状のフィルム状樹脂組成物、及び平板状の合成樹脂発泡体より形成されてあり、前記長尺形状のフィルム状樹脂組成物、及び前記平板状の合成樹脂発泡体を重ね合わせると共に、前記芯線、及び前記帯状体に挟み付けて折り込んで前記チャンネルブラシを形成した後、前記チャンネルブラシが、前記台座に巻き付けて前記止め金具にて固定されてあるものである。【選択図】      図１
2005305072.tif 000002
【特許請求の範囲】
【請求項１】
被洗浄面に付着した汚れ等を洗浄する為の洗浄ブラシにおいて、前記洗浄ブラシは台座、チャンネルブラシ、及び止め金具より形成されてあり、前記チャンネルブラシはブラシ片、芯線、及び帯状体より形成されてあり、前記ブラシ片は、長尺形状のフィルム状樹脂組成物、及び平板状の合成樹脂発泡体より形成されてあり、前記長尺形状のフィルム状樹脂組成物、及び前記平板状の合成樹脂発泡体を重ね合わせると共に、前記芯線、及び前記帯状体に挟み付けて折り込んで前記チャンネルブラシを形成した後、前記チャンネルブラシが、前記台座に巻き付けて前記止め金具にて固定されてあることを特徴とする洗浄ブラシ。
【請求項２】
請求項１記載の構成よりなる洗浄ブラシにおいて、前記チャンネルブラシに形成されてある前記長尺形状のフィルム状樹脂組成物、及び前記平板状の合成樹脂発泡体は、段差を有して異なる毛丈に形成されてあることを特徴とする洗浄ブラシ。
【発明の詳細な説明】
【技術分野】
【０００１】  本発明は、被洗浄面に付着した汚れ等を洗浄する為の洗浄ブラシに関するものである。主に、自動車、バス、電車等の外壁面洗浄用の洗車機に搭載する洗浄ブラシとして使用するものである。
【背景技術】
【０００２】  被洗浄面に付着した汚れ等を洗浄する為の洗浄ブラシに関しては、ブラシ片の材質に、さまざまな改良がなされ、合成樹脂繊維、布、フィルム状樹脂組成物、合成樹脂発泡体等に関して、各種の提案がされてある。ところで、合成樹脂繊維は洗浄性が極めて良好で、洗い残しが少ないが、被洗浄面に傷を付けやすく、洗浄時の音が大きいという特徴を有している。布は、被洗浄面に柔らかく接触する為、被洗浄面に傷を付けにくく、洗浄性が良好だが、洗い残しが有り、耐久性が低く、高価格であるという特徴を有している。フィルム状樹脂組成物は、洗浄時の音が小さく、被洗浄面に傷を付けにくく、かつ洗浄性が良好だが、毛腰が弱く、耐久性が低いという特徴を有している。合成樹脂発泡体は、耐久性が良好で、被洗浄面に傷を付けにくいが、洗浄性が低く、洗浄時の音が大きいという特徴を有している。【０００３】  従来のブラシ片の材質は、上記の如くの特徴を有しているが、フィルム状樹脂組成物においては、例えば、ポリプロピレンブロックポリマー９８〜５５重量部と低密度ポリエチレン、高密度ポリエチレン、直鎖状低密度ポリエチレンの内、少なくとも１種４５〜２重量部配合した樹脂組成からなるブラシ用毛材が、特開２００２−３１５６２７号公報に、開示されてある。前記公報に使用されてあるフィルム状樹脂組成物は、所定の樹脂組成に配合された材料を、溶融押出成形と呼ばれる製法にて、フィルム状樹脂組成物に成形し、幅方向に折りたたまれた長尺のシート状に形成後、先端部を長手方向に細分割加工して形成されてある。【０００４】  また、合成樹脂発泡体においては、例えば、長尺の発泡材を使用したブラシ片からなるチャンネルブラシを、台座に巻き付けた洗浄ブラシが、特開２００３−３４４号公報に開示されてある。前記公報に使用されてあるブラシ片は、所定の合成樹脂の中にあらかじめ発泡剤を配合した後、一般的に、溶融発泡成形と呼ばれる製法にて、概ブロック状に形成後、所定の形状にスライス、及びカッティングされて形成される。【０００５】
【特許文献１】  特開２００２−３１５６２７号公報
【特許文献２】  特開２００３−３４４号公報
【発明の開示】
【発明が解決しようとする課題】
【０００６】  従来の洗浄ブラシに関しては、ブラシ片の材質に関して、上記の如くの改良がされてあるが、合成樹脂繊維は被洗浄面に傷を付けやすいという課題を有している。また、布は、洗い残しが有り、耐久性が低く、高価格であるという課題を有している。また、フィルム状樹脂組成物は、耐久性が低いという課題を有している。また、合成樹脂発泡体は、洗浄性が低いという課題を有している。本発明は、上記のような課題を解決するためになされたもので、耐久性が良好で、被洗浄面に傷を付けにくいという合成樹脂発泡体の有する特徴を活用できると共に、フィルム状樹脂組成物が有する特徴である高い洗浄性を活用できる洗浄ブラシを、提供することを目的としている。
【課題を解決するための手段】
【０００７】  本発明にかかる洗浄ブラシは、次のように構成したものである。
（１）被洗浄面に付着した汚れ等を洗浄する為の洗浄ブラシにおいて、前記洗浄ブラシは台座、チャンネルブラシ、及び止め金具より形成されてあり、前記チャンネルブラシはブラシ片、芯線、及び帯状体より形成されてあり、前記ブラシ片は、長尺形状のフィルム状樹脂組成物、及び平板状の合成樹脂発泡体より形成されてあり、前記長尺形状のフィルム状樹脂組成物、及び前記平板状の合成樹脂発泡体を重ね合わせると共に、前記芯線、及び前記帯状体に挟み付けて折り込んで前記チャンネルブラシを形成した後、前記チャンネルブラシが、前記台座に巻き付けて前記止め金具にて固定されてあるものである。【０００８】  （２）上記（１）記載の洗浄ブラシにおいて、前記チャンネルブラシに形成されてある前記長尺形状のフィルム状樹脂組成物、及び前記平板状の合成樹脂発泡体は、段差を有して異なる毛丈に形成されてあるものである。
【発明の効果】
【０００９】  本発明の洗浄ブラシは、次に示すような効果を得ることができる。なお、説明にあたっては、請求項の番号と同じ番号を付して説明する。【００１０】  （１）洗浄ブラシは、フィルム状樹脂組成物、及び合成樹脂発泡体を重ね合わせた後、芯線、及び帯状体に挟み付けて折り込まれて形成されてあるチャンネルブラシが、台座の外周の周りに捩りを加えて螺旋状に巻き付けて形成されてある。その為、洗浄ブラシは、被洗浄面にたいして、フィルム状樹脂組成物、及び合成樹脂発泡体を、連続的、かつ同時に接触させる事ができる。その為、被洗浄面に付着した汚れ等にたいして、フィルム状樹脂組成物、及び合成樹脂発泡体からなるブラシ片が、高い洗浄性を発揮できると共に、高い耐久性を有することができる。【００１１】  また、フィルム状樹脂組成物は、洗浄時の音が小さく、被洗浄面に傷を付けにくく、かつ洗浄性が良好であるという特徴を有していると共に，合成樹脂発泡体は、耐久性が良好で、被洗浄面に傷を付けにくいという特徴を有している為、洗浄ブラシは、洗浄時の音が小さく、被洗浄面に傷を付けにくく、洗浄性が良好であり、かつ耐久性が良好であるという特徴を有する事ができる。また、フィルム状樹脂組成物の有する、毛腰が弱く、耐久性が低いという特徴を、耐久性が良好であるという特徴を有する合成樹脂発泡体が、補う事ができる。また、合成樹脂発泡体の有する、洗浄性が低く、洗浄時の音が大きいという特徴を、洗浄時の音が小さく、被洗浄面に傷を付けにくく、かつ洗浄性が良好であるという特徴を有するフィルム状樹脂組成物が、補う事ができる。【００１２】  また、ブラシ片に、合成樹脂発泡体が使用されてある為、フィルム状樹脂組成物の有する毛腰の弱さを、補強する事ができると共に、フィルム状樹脂組成物の有する洗浄性の高さを、より高める事ができ、高い耐久性を有することができる。【００１３】  さらにまた、洗浄ブラシは、チャンネルブラシを、台座の外周の周りに捩りを加えて螺旋状に巻き付けて形成した後、止め金具に形成されてある爪にて固定されてある為、製作を、迅速、かつ安価にすることができる。【００１４】  （２）洗浄ブラシは、フィルム状樹脂組成物、及び合成樹脂発泡体を、段差を有するように、重ね合わせた後、芯線、及び帯状体に挟み付けて折り込まれて形成されてあるチャンネルブラシが、台座の外周の周りに捩りを加えて螺旋状に巻き付けて形成されてある。その為、洗浄ブラシは、被洗浄面にたいして、フィルム状樹脂組成物のみを連続的に接触させる事ができると共に、フィルム状樹脂組成物、及び合成樹脂発泡体を、連続的、かつ同時に接触させる事ができる。その為、被洗浄面に付着した汚れ等にたいして、段差を有して異なる毛丈に形成されてあるフィルム状樹脂組成物、及び合成樹脂発泡体からなるブラシ片が、高い洗浄性を発揮できると共に、高い耐久性を有することができる。【００１５】  また、洗浄ブラシは、段差を有して異なる毛丈に形成されてあるフィルム状樹脂組成物、及び合成樹脂発泡体からなるブラシ片が形成されてある為、使用する目的や形態に応じて、適時、洗浄ブラシを被洗浄面にたいして接触させる押込み探さを設定する事により、フィルム状樹脂組成物のみを接触させ���使用方法、及びフィルム状樹脂組成物、及び合成樹脂発泡体を同時に接触させる使用方法を選択する事ができる。その為、例えば、フィルム状樹脂組成物、及び合成樹脂発泡体を同時に接触させる使用方法を、所定時間設定した後、フィルム状樹脂組成物のみを接触させる使用方法を所定時間設定する等、適時、設定する事ができる。【００１６】  （２）他の実施の形態として、合成樹脂発泡体にたいして、フィルム状樹脂組成物を両側から挟み付けるように重ね合わせた後、芯線、及び帯状体に挟み付けて折り込まれて形成されてあると共に、フィルム状樹脂組成物、及び合成樹脂発泡体が、段差を有して異なる毛丈に形成されてあるチャンネルブラシが使用されてある場合においては、洗浄ブラシは、合成樹脂発泡体が、フィルム状樹脂組成物により、両側から挟み付けられて形成されてある為、洗浄ブラシの使用時において、洗浄水等の水分により、合成樹脂発泡体が、互いに、貼り付く事を防止できる。その為、寒冷地等における凍結により、合成樹脂発泡体が、互いに貼り付くことが無い。また、互いに、貼り付く事を防止できる為、被洗浄面の洗浄残りが発生する事が無く、高い洗浄性を発揮できると共に、高い耐久性を有することができる。
【発明を実施するための最良の形態】
【００１７】  耐久性が良好で、被洗浄面に傷を付けにくいという合成樹脂発泡体の有する特徴を活用できると共に、フィルム状樹脂組成物が有する特徴である高い洗浄性を活用できる洗浄ブラシを提供するという目的を、被洗浄面に付着した汚れ等を洗浄する為の洗浄ブラシにおいて、前記洗浄ブラシは台座、チャンネルブラシ、及び止め金具より形成されてあり、前記チャンネルブラシは、ブラシ片、芯線、及び帯状体より形成されてあり、前記ブラシ片は、長尺形状のフィルム状樹脂組成物、及び平板状の合成樹脂発泡体より形成されてあり、前記長尺形状のフィルム状樹脂組成物、及び前記平板状の合成樹脂発泡体を重ね合わせると共に、前記芯線、及び前記帯状体に挟み付けて折り込んで前記チャンネルブラシを形成した後、前記チャンネルブラシが、前記台座に巻き付けて前記止め金具にて固定されてある構成において実現した。
【実施例１】
【００１８】  図１から図６にて実施例１を示す。図１は、本発明の洗浄ブラシを、自動車、バス、電車等の外壁面洗浄用の洗車機に搭載する洗浄ブラシとして使用した形態を前面側から見た斜視図である。図１において、１は洗浄ブラシ、２は台座、３は止め金具、４はチャンネルブラシ、７はブラシ片である。図２は、図１に使用するチャンネルブラシの断面図である。図２において、５は芯線、６は帯状体、１７はフィルム状樹脂組成物、２７は合成樹脂発泡体である。図３は、図２に使用するフィルム状樹脂組成物を前面側から見た斜視図である。図３において、９は細分割部である。図４は、図２に使用する合成樹脂発泡体を前面側から見た斜視図である。図４において、１０はスリットである。図５は、図１に使用する台座を、前面側から見た斜視図である。図５において、９１は爪、９２はネジである。図６は、図１の洗浄ブラシの製造状態を、前面側から見た斜視図である。図６において、９０は基台、９７は縦ロール、９８は横ロールである。【００１９】  洗浄ブラシ１は、図１の如く、台座２、チャンネルブラシ４、及び止め金具３より構成されてある。台座２は、図５の如く、略円筒形状からなり、外周の両端部には、爪９１を有する止め金具３が、ネジ９２にて組みつけられて形成されてある。チャンネルブラシ４は、図２の如く、ブラシ片７、芯線５、及び帯状体６より形成されてあり、ブラシ片７は、フィルム状樹脂組成物１７、及び合成樹脂発泡体２７を重ね合わせて形成されてある。また、チャンネルブラシ４は、フィルム状樹脂組成物１７、及び合成樹脂発泡体２７を重ね合わせた後、芯線５、及び帯状体６に挟み付けて折り込まれて形成されてある。また、洗浄ブラシ１は、図１の如く、チャンネルブラシ４を、台座２の外周の周りに捩りを加えて螺旋状に巻き付けると共に、止め金具３に形成されてある爪９１にて固定されて形成されてある。【００２０】  ブラシ片７に使用されてあるフィルム状樹脂組成物１７は、図３の如く、幅方向に折りたたまれた長尺のシート状に形成されてあり、長手方向の両端部には、長手方向に細分割加工した細分割部９が、形成されてある。また、フィルム状樹脂組成物１７は、所定の樹脂組成に配合された材料を、溶融押出成形と呼ばれる製法にて成形し、幅方向に折りたたまれた長尺のシート状に形成後、画端部を長手方向に細分割加工されてある。また、フィルム状樹脂組成物１７は、ポリプロピレンブロックポリマー、及び低密度ポリエチレンを、所定重量部配合して形成されてある。【００２１】  また、ブラシ片７に使用されてある合成樹脂発泡体２７は、図４の如く、平板状に形成されてあり、複数のスリット１０が、外端部から中央部に向かって、形成されてある。また、合成樹脂発泡体２７は、所定の合成樹脂の中にあらかじめ発泡剤を配合した後、一般的に溶融発泡成形と呼ばれる製法にて、概ブロック状に形成後、所定の形状にスライス、及びカッティングされて平板状に形成されてある。また、合成樹脂発泡体２７は、所定密度に設定されたポリエチレンからなる独立気泡発泡体が、使用されてある。【００２２】  また、フィルム状樹脂組成物１７は、洗浄時の音が小さく、被洗浄面に傷を付けにくく、かつ洗浄性が良好である��いう特徴を有していると共に、合成樹脂発泡体２７は、耐久性が良好で、被洗浄面に傷を付けにくいという特徴を有している。【００２３】  次に、洗浄ブラシ１の製造方法を説明する。まず、図６の如く、断面が概コの字形状の長尺の帯状体６にたいして、フィルム状樹脂組成物１７、及び合成樹脂発泡体２７の中央部が、帯状体６の上部になるように、重ね合わせて設置し、縦ロール９７を使用して、芯線５にてフィルム状樹脂組成物１７、及び合成樹脂発泡体２７を挟み付けると共に、芯線５を概コの字形状の帯状体６の内部に押し込む。次に、帯状体６の両側に形成された横ロール９８を使用して、帯状体６を両側から、かしめる。その結果、図２の如く、中央部が帯状体６、及び芯線５に挟み付けられて折り込まれたフィルム状樹脂組成物１７、及び合成樹脂発泡体２７からなるブラシ片７を有するチャンネルブラシ４が形成される。次に、図１の如く、チャンネルブラシ４を、台座２の外周の周りに捩りを加えて螺旋状に巻き付け、止め金具３に形成されてある爪９１にて固定する。上記の如くの方法により、台座２の外周に、チャンネルブラシ４が装着された洗浄ブラシ１が、形成される。【００２４】  実施例１の洗浄ブラシ１は、上記の如くの構成となっているので、洗浄ブラシ１は、フィルム状樹脂組成物１７、及び合成樹脂発泡体２７を重ね合わせた後、芯線５、及び帯状体６に挟み付けて折り込まれて形成されてあるチャンネルブラシ４が、台座２の外周の周りに捩りを加えて螺旋状に巻き付けて形成されてある。その為、洗浄ブラシ１は、被洗浄面にたいして、フィルム状樹脂組成物１７、及び合成樹脂発泡体２７を、連続的、かつ同時に接触させる事ができる。その為、被洗浄面に付着した汚れ等にたいして、フィルム状樹脂組成物１７、及び合成樹脂発泡体２７からなるブラシ片７が、高い洗浄性を発揮できると共に、高い耐久性を有することができる。【００２５】  また、フィルム状樹脂組成物１７は、洗浄時の音が小さく、被洗浄面に傷を付けにくく、かつ洗浄性が良好であるという特徴を有していると共に、合成樹脂発泡体２７は、耐久性が良好で、被洗浄面に傷を付けにくいという特徴を有している為、洗浄ブラシ１は、洗浄時の音が小さく、被洗浄面に傷を付けにくく、洗浄性が良好であり、かつ耐久性が良好であるという特徴を有する事ができる。また、フィルム状樹脂組成物１７の有する、毛腰が弱く、耐久性が低いという特徴を、耐久性が良好であるという特徴を有する合成樹脂発泡体２７が、補う事ができる。また、合成樹脂発泡体２７の有する、洗浄性が低く、洗浄時の音が大きいという特徴を、洗浄時の音が小さく、被洗浄面に傷を付けにくく、かつ洗浄性が良好であるという特徴を有するフィルム状樹脂組成物１７が、補う事ができる。【００２６】  また、ブラシ片７に、合成樹脂発泡体２７が使用されてある為、フィルム状樹脂組成物１７の有する毛腰の弱さを、補強する事ができると共に、フィルム状樹脂組成物１７の有する洗浄性の高さを、より高める事ができ、高い耐久性を有することができる。【００２７】  さらにまた、洗浄ブラシ１は、チャンネルブラシ４を、台座２の外周の周りに捩りを加えて螺旋状に巻き付けて形成した後、止め金具３に形成されてあ���爪９１にて固定されてある為、製作を、迅速、かつ安価にすることができる。【００２８】  実施例１の洗浄ブラシ１は、上記の如くの構成となっているが、ブラシ片７に使用されてある合成樹脂発泡体２７については、上記の如くの、所定密度に設定されたポリエチレン以外にも、使用する目的や形態に応じて、発泡可能な材質であるならば、適時、他の合成樹脂を設定することができる。また、フィルム状樹脂組成物１７についても、上記の如くの、ポリプロピレンブロックポリマー、及び低密度ポリエチレンを、所定重量部配合した材質以外にも、使用する目的や形態に応じて、フィルム状に形成可能な材質であるならば、適時、他の樹脂を設定することができる。
【実施例２】
【００２９】  図７から図１２にて実施例２を示す。図７は、本発明の洗浄ブラシを、自動車、バス、電車等の外壁面洗浄用の洗車機に搭載する洗浄ブラシとして使用した形態を前面側から見た斜視図である。図７において、１１は洗浄ブラシ、１２は台座、１３は止め金具、１４はチャンネルブラシ、３７はブラシ片である。図８は、図７に使用するチャンネルブラシの断面図である。図８において、８は段差、１５は芯線、１６は帯状体、４７はフィルム状樹脂組成物、５７は合成樹脂発泡体である。図９は、図８に使用するフィルム状樹脂組成物を前面側から見た斜視図である。図９において、１９は細分割部である。図１０は、図８に使用する合成樹脂発泡体を前面側から見た斜視図である。図１０において、２０はスリットである。図１１は、他の実施の形態の洗浄ブラシを、前面側から見た斜視図である。図１１において、２１は洗浄ブラシ、２２は台座、２３は止め金具、２４はチャンネルブラシ、６７はブラシ片である。図１２は、図１１に使用するチャンネルブラシの断面図である。図１２において、１８は段差、２５は芯線、２６は帯状体、４７はフィルム状樹脂組成物、５７は合成樹脂発泡体である。【００３０】  洗浄ブラシ１１は、図７の如く、台座１２、チャンネルブラシ１４、及び止め金具１３より構成されてある。チャンネルブラシ１４は、図８の如く、ブラシ片３７、芯線１５、及び帯状体１６より形成されてあり、ブラシ片３７は、フィルム状樹脂組成物４７、及び合成樹脂発泡体５７を重ね合わせて形成されてあり、フィルム状樹脂組成物４７、及び合成樹脂発泡体５７は、段差８を有して異なる毛丈に形成されてある。また、チャンネルブラシ１４は、フィルム状樹脂組成物４７、及び合成樹脂発泡体５７を重ね合わせた後、芯線１５、及び帯状体１６に挟み付けて折り込まれて形成されてある。また、洗浄ブラシ１１は、図７の如く、チャンネルブラシ１４を、台座１２の外周の周りに捩りを加えて螺旋状に巻き付けると共に、止め金具１３にて固定されて形成されてある。【００３１】  ブラシ片３７に使用されてあるフィルム状樹脂組成物４７は、図９の如く、幅方向に折りたたまれた長尺のシート状に形成されてあり、長手方向の両端部には、長手方向に細分割加工した細分割部１９が、形成されてある。また、フィルム状樹脂組成物４７は、ポリプロピレンブロックポリマー、及び低密度ポリエチレンを、所定重量部配合して形成されてある。【００３２】  また、ブラシ片３７に使用されてある合成樹脂発泡体５７は、図１０の如く、平板状に形成されてあり、複数のスリット２０が、外端部から中央部に向かって形成されてある。また、合成樹脂発泡体５７は、所定密度に設定されたポリエチレンからなる独立気泡発泡体が、使用されてある。【００３３】  また、フィルム状樹脂組成物４７は、洗浄時の音が小さく、被洗浄面に傷を付けにくく、かつ洗浄性が良好であるという特徴を有していると共に、合成樹脂発泡体５７は、耐久性が良好で、被洗浄面に傷を付けにくいという特徴を有している。【００３４】  実施例２の洗浄ブラシ１１は上記の如くの構成となっているので、洗浄ブラシ１１は、フィルム状樹脂組成物４７、及び合成樹脂発泡体５７を、段差８を有するように、重ね合わせた後、芯線１５、及び帯状体１６に挟み付けて折り込まれて形成されてあるチャンネルブラシ１４が、台座１２の外周の周りに捩りを加えて螺旋状に巻き付けて形成されてある。その為、洗浄ブラシ１１は、被洗浄面にたいして、フィルム状樹脂組成物４７のみを連続的に接触させる事ができると共に、フィルム状樹脂組成物４７、及び合成樹脂発泡体５７を、連続的、かつ同時に接触させる事ができる。その為、被洗浄面に付着した汚れ等にたいして、段差８を有して異なる毛丈に形成されてあるフィルム状樹脂組成物４７、及び合成樹脂発泡体５７からなるブラシ片３７が、高い洗浄性を発揮できると共に、高い耐久性を有することができる。【００３５】  また、洗浄ブラシ１１は、段差８を有して異なる毛丈に形成されてあるフィルム状樹脂組成物４７、及び合成樹脂発泡体５７からなるブラシ片３７が形成されてある為、使用する目的や形態に応じて、適時、洗浄ブラシ１１を被洗浄面にたいして接触させる押込み深さを設定する事により、フィルム状樹脂組成物４７のみを接触させる使用方法、及びフィルム状樹脂組成物４７、及び合成樹脂発泡体５７を同時に接触させる使用方法を選択する事ができる。その為、例えば、フィルム状樹脂組成物４７、及び合成樹脂発泡体５７を同時に接触させる使用方法を、所定時間設定した後、フィルム状樹脂組成物４７のみを接触させる使用方法を所定時間設定する等、適時、設定する事ができる。【００３６】  実施例２の洗浄ブラシ１１は、上記の如くの構成となっているが、段差８の形成状態については、上記の如くの構成以外にも、例えば、合成樹脂発泡体５７の毛丈を、フィルム状樹脂組成物４７の毛丈に比べて、段差８を形成するように、より長く設定する等、使用する目的に応じて、適時、最適になるように設定できる。前記の如くの設定をした場合には、洗浄ブラシ１１の耐久性を、より高めることができる。【００３７】  次に、実施例２の他の実施の形態の洗浄ブラシを説明する。他の実施の形態の洗浄ブラシ２１は、図１１の如く、台座２２、チャンネルブラシ２４、及び止め金具２３より構成されてある。チャンネルブラシ２４は、図１２の如く、ブラシ片６７、芯線２５、及び帯状体２６より形成されてあり、ブラシ片６７は、合成樹脂発泡体５７にたいして、フィルム状樹脂組成物４７を、両側から挟み付けるように重ね合わせて形成されてあり、フィルム状樹脂組成物４７、及び合成樹脂発泡体５７は、段差１８を有して異なる毛丈に形成されてある。また、チャンネルブラシ２４は、合成樹脂発泡体５７にたいして、フィルム状樹脂組成物４７を、両側から挟み付けるように重ね合わせた後、芯線２５、及び帯状体２６に挟み付けて折り込まれて形成されてある。また、洗浄ブラシ２１は、図１１の如く、チャンネルブラシ２４を、台座２２の外周の周りに捩りを加えて螺旋状に巻き付けると共に、止め金具２３にて固定されて形成されてある。【００３８】  実施例２の他の実施の形態の洗浄ブラシ２１は上記の如くの構成となっているので、合成樹脂発抱体５７が、フィルム状樹脂組成物４７により、両側から挟み付けられて形成されてある。その為、洗浄ブラシ２１の使用時において、洗浄水等の水分により、合成樹脂発泡���５７が、互いに、貼り付く事を防止できる。その為、寒冷地等における凍結により、合成樹脂発泡体５７が、互いに貼り付くことが無い。また、互いに、貼り付く事を防止できる為、被洗浄面の洗浄残りが発生する事が無く、高い洗浄性を発揮できると共に、高い耐久性を有することができる。
【産業上の利用可能性】
【００３９】  本発明の洗浄ブラシは、被洗浄面に付着した汚れ等を、洗浄する為に使用するものであり、主に、自動車、バス、電車等の外壁面洗浄用の洗車機に搭載する洗浄ブラシとして使用するものであるが、例えば、自動車、電車、バス、航空機等の外壁面用あるいは内壁面用の洗浄ブラシに使用したり、路面清掃用、あるいは路面洗浄用の洗浄ブラシに使用したり、高層あるいは中低層ビルの外壁面あるいは内壁面の洗浄ブラシに使用したり、掃除機用床ノズルの回転ロータに使用したり、台座の一端を概取っ手形状として、一般家庭用あるいは業務用の洗浄あるいは清掃ブラシに使用する等、広く好適に使用する事ができる。
【図面の簡単な説明】
【００４０】
【図１】  本発明の洗浄ブラシを、自動車、バス、電車等の外壁面洗浄用の洗車機に搭載する洗浄ブラシとして使用した形態を前面側から見た斜視図である。
【図２】  図１に使用するチャンネルブラシの断面図である。
【図３】  図２に使用するフィルム状樹脂組成物を前面側から見た斜視図である。
【図４】  図２に使用する合成樹脂発泡体を前面側から見た斜視図である。
【図５】  図１に使用する台座を、前面側から見た斜視図である。
【図６】  図１の洗浄ブラシの製造状態を、前面側から見た斜視図である。
【図７】  本発明の洗浄ブラシを、自動車、バス、電車等の外壁面洗浄用の洗車機に搭載する洗浄ブラシとして使用した形態を前面側から見た斜視図である。
【図８】  図７に使用するチャンネルブラシの断面図である。
【図９】  図８に使用するフィルム状樹脂組成物を前面側から見た斜視図である。
【図１０】  図８に使用する合成樹脂発泡体を前面側から見た斜視図である。
【図１１】  他の実施の形態の洗浄ブラシを、前面側から見た斜視図である。
【図１２】  図１１に使用するチャンネルブラシの断面図である。
【符号の説明】
【００４１】１、１１、２１  洗浄ブラシ  ２、１２、２２  台座  ３、１３、２３  止め金具  ４、１４、２４  チャンネルブラシ  ５、１５、２５  芯線  ６、１６、２６  帯状体  ７、３７、６７  ブラシ片  ８、１８  段差  ９、１９  再分割部  １０、２０  スリット  １７、４７  フィルム状樹脂組成物  ２７、５７  合成樹脂発泡体  ９０  基台  ９１  爪  ９２  ネジ  ９７  縦ロール  ９８  横ロール
【図１】
2005305072.tif 000003
【図２】
2005305072.tif 000004
【図３】
2005305072.tif 000005
【図４】
2005305072.tif 000006
【図５】
2005305072.tif 000007
【図６】
2005305072.tif 000008
【図７】
2005305072.tif 000009
【図８】
2005305072.tif 000010
【図９】
2005305072.tif 000011
【図１０】
2005305072.tif 000012
【図１１】
2005305072.tif 000013
【図１２】
2005305072.tif 000014